(57)【特許請求の範囲】
【請求項１】
電池と、
商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路と、
前記電源回路から供給される前記第１電力又は前記第２電力により作動する給湯装置本体と、
表示部及び操作部を有して前記給湯装置本体と通信ケーブルにより接続され、前記給湯装置本体から前記通信ケーブルを介して供給される電力により作動して、前記給湯装置本体を遠隔操作する複数のリモコンと、
前記各リモコンにおける所定の優先設定操作に応じて、該優先設定操作がなされたリモコンを前記給湯装置本体からの給湯温度の設定が可能な優先モードにすると共に、他のリモコンを該給湯温度の設定が不能な非優先モードにするリモコン優先設定部と
を備えた給湯装置において、
前記商用電源の停電を検知する停電検知部と、
前記停電検知部により前記商用電源の停電が検知され、且つ、前記複数のリモコンの何れかが前記優先モードにされているときに、該優先モードにされているリモコンについてのみ、前記給湯装置本体の作動状態を含む第１表示を前記表示部に表示させ、非優先モードになっている他のリモコンについては、前記第１表示よりも表示情報が少なく表示のための消費電力が前記第１表示よりも少ない第２表示を、前記表示部に表示させるリモコン表示制限部と
を備えたことを特徴とする給湯装置。
【請求項２】
請求項１に記載の給湯装置において、
前記各リモコンは、前記商用電源の停電中に前記非優先モードとなっているときには、前記優先設定操作以外の操作の受付を禁止することを特徴とする給湯装置。
【請求項３】
請求項１又は請求項２に記載の給湯装置において、
前記各リモコンは、前記商用電源の停電中に前記非優先モードとなっているときには、前記表示部に停電中であることを報知する表示を行うことを特徴とする給湯装置。
【請求項４】
請求項１から請求項３のうちのいずれかに記載の給湯装置において、
前記リモコンは、音による報知を行なう音報知部を備え、前記商用電源が停電中であるときに、前記音報知部の上限出力を、前記商用電源の停電が生じていないときよりも減少させることを特徴とする給湯装置。
【発明の詳細な説明】
【技術分野】
【０００１】
本発明は、停電用のバックアップ電池を備えた給湯装置に関する。
【背景技術】
【０００２】
従来より、給湯装置本体と、給湯装置本体を遠隔操作するためのリモコンを備えた給湯装置において、給湯装置本体に充電式の電池を組み込んで、停電時に電池をバックアップ電源として利用することにより、停電時にも給湯と追焚きができるようにした給湯装置が提案されている（例えば、特許文献１参照）。
【先行技術文献】
【特許文献】
【０００３】
【特許文献１】実開平６−１４８５５号公報
【発明の概要】
【発明が解決しようとする課題】
【０００４】
給湯装置のリモコンの仕様としては、給湯装置本体とリモコンを通信ケーブルにより接続し、給湯装置本体から通信ケーブルを介してリモコンに電源供給する構成が一般的である。
【０００５】
そして、この仕様のリモコンを備えた給湯装置において、給湯装置本体に停電バックアップ電源として電池を備えたときには、商用電源の停電が生じたときに、給湯装置本体に組み込まれた電池の出力電力をリモコンに供給することになる。そのため、停電中のリモコンの消費電力が大きいほど、電池の消耗が大きくなって給湯装置本体による給湯可能時間が短くなる。
【０００６】
本発明はかかる背景に鑑みてなされたものであり、停電中のリモコンの消費電力を低減して、停電中の給湯可能時間を長くすることができる給湯装置を提供することを目的とする。
【課題を解決するための手段】
【０００７】
本発明は上記目的を達成するためになされたものであり、電池と、商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路と、前記電源回路から供給される前記第１電力又は前記第２電力により作動する給湯装置本体と、表示部及び操作部を有して前記給湯装置本体と通信ケーブルにより接続され、前記給湯装置本体から前記通信ケーブルを介して供給される電力により作動して、前記給湯装置本体を遠隔操作する複数のリモコンと、前記各リモコンにおける所定の優先設定操作に応じて、該優先設定操作がなされたリモコンを前記給湯装置本体からの給湯温度の設定が可能な優先モードにすると共に、他のリモコンを該給湯温度の設定が不能な非優先モードにするリモコン優先設定部とを備えた給湯装置の改良に関する。
【０００８】
そして、前記商用電源の停電を検知する停電検知部と、前記停電検知部により前記商用電源の停電が検知され、且つ、前記複数のリモコンの何れかが前記優先モードにされているときに、該優先モードにされているリモコンについてのみ、前記給湯装置本体の作動状態を含む第１表示を前記表示部に表示させ、非優先モードになっている他のリモコンについては、前記第１表示よりも表示情報が少なく表示のための消費電力が前記第１表示よりも少ない第２表示を、前記表示部に表示させるリモコン表示制限部とを備えたことを特徴とする（第１発明）。
【０００９】
第１発明によれば、前記商用電源が停電しているときに、前記リモコン表示制限部により、前記優先モードとなっているリモコンのみが前記表示部に前記第１表示を行い、非優先モードとなっている他のリモコンは、前記第１表示よりも消費電力が少ない前記第２表示を行う。このように、前記第１表示を行うリモコンを、優先モードとされていて、使用者による操作頻度が高いと想定されるリモコンに限定することによって、使用者の利便性を確保しつつ、全てのリモコンに前記第１表示を行う場合よりも、給湯装置本体から各リモコンに供給する総電力を低減することができる。そのため、前記電池の放電電力を減少させて、前記商用電源の停電中における前記給湯装置本体の給湯可能時間を長くすることができる。
【００１０】
また、第１発明において、前記各リモコンは、前記商用電源の停電中に前記非優先モードとなっているときには、前記優先設定操作以外の操作の受付を禁止することを特徴とする（第２発明）。
【００１１】
第２発明によれば、前記非優先モードとなっているリモコンについて、前記優先設定操作による給湯温度を行うリモコンの切替えを可能にしつつ、前記優先設定操作以外の操作の受付を禁止することにより、操作の受付のための処理に伴う電力消費を削減することができる。
【００１２】
また、第１発明又は第２発明において、前記各リモコンは、前記商用電源の停電中に前記非優先モードとなっているときには、前記表示部に停電中であることを報知する表示を行うことを特徴とする（第３発明）。
【００１３】
第３発明によれば、前記第２表示を行っている前記非優先モードのリモコンを視認した使用者が、給湯装置の故障であると誤認することを防止することができる。
【００１４】
また、第１発明から第３発明のいずれかにおいて、前記リモコンは、音による報知を行なう音報知部を備え、前記商用電源が停電中であるときに、前記音報知部の上限出力を、前記商用電源の停電が生じていないときよりも減少させることを特徴とする（第４発明）。
【００１５】
第４発明によれば、前記商用電源が停電中であるときに、前記リモコンの前記音報知部の上限出力を、前記商用電源の停電が生じていないときよりも減少させることによって、音出力のための前記電池の出力電力を低減して、前記給湯装置本体による給湯可能時間を長くすることができる。
【図面の簡単な説明】
【００１６】
【図１】本発明の給湯装置の構成図。
【図２】図１に示した給湯装置本体のコントローラの作動フローチャート（１／２）。
【図３】図１に示した給湯装置本体のコントローラの作動フローチャート（２／２）。
【図４】無停電電源を採用した給湯装置の第１構成図。
【図５】無停電電源を採用した給湯装置の第２構成図。
【発明を実施するための形態】
【００１７】
本発明の実施形態について、図１〜図５を参照して説明する。
【００１８】
図１を参照して、本実施形態の給湯装置は、給湯装置本体１と、給湯装置本体１を遠隔操作するための浴室リモコン４０及び台所リモコン５０とにより構成されている。なお、さらに、増設リモコン６０を給湯装置本体１に接続することも可能である。給湯装置本体１と、浴室リモコン４０，台所リモコン５０，及び増設リモコン６０とは、通信ケーブル２０〜２２により接続される。
【００１９】
給湯装置本体１は、給水管（図示しない）に供給される水を、ガス或いは灯油バーナ等により加熱される熱交換器内を流通させることにより加熱して、給湯管（図示しない）に出湯する。給湯装置本体１は、電源回路３０と、電源回路３０から供給される電力により作動して、給湯装置本体１の作動を制御するコントローラ１０とを備えている。
【００２０】
電源回路３０は、商用電源３４（例えば、ＡＣ１００Ｖの商用電源）及び電池３５（例えば、ＤＣ１２Ｖの蓄電池）と接続され、商用電源３４から出力される交流電力を直流電力Ｐ１（本発明の第１電力に相当する）に変換する整流回路３１と、選択回路３２と、商用電源３４の停電を検知する停電検知回路３３とを備えている。
【００２１】
選択回路３２は、整流回路３１から電力が供給されているときは、整流回路３１からの電力Ｐ１を出力する。また、商用電源３４の停電により、整流回路３１からの電力供給が停止しているときには、選択回路３２は、電池３５からの電力Ｐ２（本発明の第２電力に相当する）を出力する。
【００２２】
電池３５は蓄電池（２次電池）であり、商用電源３４から供給される電力により充電される。なお、電池３５に１次電池を用いてもよい。停電検知回路３３は、商用電源３４の停電を検知しているときに、停電検知信号をコントローラ１０に出力する。コントローラ１０は、この停電検知信号の受信により商用電源３４の停電を認識する。
【００２３】
コントローラ１０は、電源回路３０から供給される電力を、通信ケーブル２０〜２２を介して、浴室リモコン４０、台所リモコン５０、及び増設リモコン６０の作動用電源として供給する。
【００２４】
コントローラ１０と、浴室リモコン４０、台所リモコン５０、及び増設リモコン６０とは、通信ケーブル２０〜２２を介した電源重畳通信により、双方向通信を行う。浴室リモコン４０、台所リモコン５０、及び増設リモコン６０には、表示部４１，５１，６１と、運転スイッチ４２，５２，６２等の各種スイッチ（本発明の操作部に相当する）と、音声等を出力するスピーカ４３，５３，６３（本発明の音報知部に相当する）が備えられている。
【００２５】
運転スイッチ４２，５２，６２は、給湯装置を、給湯運転が可能であって、各リモコンのスイッチ部の操作を有効とすると共に、表示部４１，５１，６１に給湯装置本体１の運転状況等を表示する運転モードと、給湯運転が不能であって、各リモコンの操作部の運転スイッチ４２，５２，６２の操作以外を無効とすると共に、表示部４１，５１，６１を消灯する待機モードとの切替えを指示するためのスイッチである。
【００２６】
運転スイッチ４２は、運転モードであるときに点灯されるＬＥＤ４２ａを内蔵している。同様に、運転スイッチ５２はＬＥＤ５２ａを内蔵し、運転スイッチ６２はＬＥＤ６２ａを内蔵している。
【００２７】
また、浴室リモコン４０は、浴室リモコン４０を優先モードと非優先モードに切替えるための優先スイッチ４５を備えている。優先モードは、他のリモコンに優先して給湯装置本体１の給湯温度の設定操作が可能なモードであり、非優先モードは、給湯温度の設定操作が不能なモードである。
【００２８】
浴室リモコン４０が優先モードであるときは、使用者は、浴室リモコン４０の温度設定スイッチ（図示しない）を操作して、給湯装置本体１の給湯温度を設定することができる。一方、浴室リモコン４０が非優先モードであるときには、使用者は、浴室リモコン４０により給湯温度を設定することができない。
【００２９】
優先スイッチ４５はＬＥＤ４５ａを内蔵しており、浴室リモコン４０が優先モードであるときはＬＥＤ４５ａが点灯され、浴室リモコン４０が非優先モードであるときにはＬＥＤ４５ａが消灯される。
【００３０】
また、台所リモコン５０及び増設リモコン６０は、優先スイッチを備えていないが、使用者は、運転スイッチ５２，６２の操作により、台所リモコン５０及び増設リモコン６０を優先モードとすることができる。
【００３１】
例えば、浴室リモコン４０が優先モードになっているときに、使用者が台所リモコン５０の運転スイッチ５２を操作して給湯装置を一旦待機モードにしてから、運転スイッチ５２を再び操作して給湯装置を運転モードにすると、台所リモコン５０が優先モードとなり、浴室リモコン４０は非優先モードになる。
【００３２】
同様に、増設リモコン６０についても、運転スイッチ６２の操作により優先モードにすることができ、浴室リモコン４０についても、運転スイッチ４２の操作により優先モードにすることができる。
【００３３】
なお、このように、浴室リモコン４０の運転スイッチ４２及び優先スイッチ４５、台所リモコン５０の運転スイッチ５２、増設リモコン６０の運転スイッチ６２により、優先モードにする操作が、本発明の優先設定操作に相当する。
【００３４】
浴室リモコン４０、台所リモコン５０、及び増設リモコン６０は、操作部の各スイッチの操作状況を示す操作状況信号をコントローラ１０に送信する。また、浴室リモコン４０、台所リモコン５０、及び増設リモコン６０は、コントローラ１０から送信される表示制御信号に応じて、表示部４１，５１，６１の表示を制御する。
【００３５】
浴室リモコン４０にはマイクロコンピュータ４４が備えられ、マイクロコンピュータ４４により浴室リモコン４０の作動が制御される。同様に、台所リモコン５０はマイクロコンピュータ５４により作動が制御され、増設リモコン６０はマイクロコンピュータ６４により作動が制御される。
【００３６】
コントローラ１０は、図示しないＣＰＵ、メモリ、入出力インターフェース等により構成された電子回路ユニットであり、メモリに保持された給湯装置の制御用プログラムをＣＰＵで実行することによって、給湯装置の給湯動作を制御する給湯制御部１１、停電検知回路３３からの停電検知信号を受信して商用電源３４の停電を検知する停電検知部１２、各リモコン４０，５０，６０の操作に応じて、いずれかのリモコンを優先モードとすると共に、他のリモコンを非優先モードとするリモコン優先設定部１３、及び、商用電源３４に停電が生じているときに、非優先モードになっているリモコンの表示を制限して、省電力を図るリモコン表示制限部１４として機能する。
【００３７】
以下、図２及び図３に示したフローチャートに従って、商用電源３４の停電が生じているときの給湯装置本体１と、浴室リモコン４０及び台所リモコン５０における処理について説明する。
【００３８】
図２〜図３は給湯装置本体１のコントローラ１０による処理である。コントローラ１０は、電源回路３０からの電力供給が開始されると起動し、通信ケーブル２０，２１を介した浴室リモコン４０及び台所リモコン５０への電源供給を開始する。
【００３９】
この電源供給により、浴室リモコン４０のマイクロコンピュータ４４及び台所リモコン５０のマイクロコンピュータ５４が起動し、コントローラ１０と、浴室リモコン４０及び台所リモコン５０とは、所定のタイミングでの双方向通信を開始する。
【００４０】
コントローラ１０は、ＳＴＥＰ１で給湯装置を待機モードとする。続くＳＴＥＰ２で、コントローラ１０は、浴室リモコン４０及び台所リモコン５０に対して、表示部４１，５１の表示を消灯（表示なし）する制御信号を送信する。
【００４１】
この制御信号を受信した浴室リモコン４０のマイクロコンピュータ４４は、表示部４１を消灯状態とする。同様に、台所リモコン５０のマイクロコンピュータ５４は、表示部５１を消灯状態とする。
【００４２】
次のＳＴＥＰ３で、コントローラ１０は、台所リモコン５０の運転スイッチ５２がＯＮしているか否かを判断する。そして、運転スイッチ５２がＯＮしているときは図３のＳＴＥＰ１２に分岐し、運転スイッチ５２がＯＮしていないときにはＳＴＥＰ４に進む。
【００４３】
ＳＴＥＰ４で、コントローラ１０は、浴室リモコン４０の運転スイッチ４２がＯＮしているか否かを判断する。そして、運転スイッチ４２がＯＮしているときはＳＴＥＰ５に進み、運転スイッチ４２がＯＮしていないときにはＳＴＥＰ３に戻る。
【００４４】
ＳＴＥＰ５で、コントローラ１０は給湯装置を運転モードに設定し、続くＳＴＥＰ６で、コントローラ１０は、浴室リモコン４０及び台所リモコン５０に「運転ランプ点灯信号」を送信する。この「運転ランプ点灯信号」の受信に応じて、浴室リモコン４０のマイクロコンピュータ４４は、運転スイッチ４２の内蔵ＬＥＤ４２ａを点灯させる。また、台所リモコン５０のマイクロコンピュータ５４は、運転スイッチ５２の内蔵ＬＥＤ５２ａを点灯させる。
【００４５】
次のＳＴＥＰ７はリモコン優先設定部１３による処理である。リモコン優先設定部１３は、運転スイッチ４２による運転モードへの切替操作がなされた浴室リモコン４０を優先モードに設定し、台所リモコン５０を非優先モードに設定する。
【００４６】
リモコン優先設定部１３は、浴室リモコン４０に対して「優先モード設定信号」を送信し、この「優先モード設定信号」を受信した浴室リモコン４０のマイクロコンピュータ４４は、優先スイッチ４５の内蔵ＬＥＤ４５ａを点灯させて、浴室リモコン４０を優先モードで作動させる。
【００４７】
また、リモコン優先設定部１３は、台所リモコン５０に対して「非優先モード設定信号」を送信し、この「非優先モード設定信号」を受信した台所リモコン５０のマイクロコンピュータ５４は、優先モードとなっていることを示す表示部５１への優先表示をＯＦＦして、台所リモコン５０を非優先モードで作動させる。
【００４８】
続くＳＴＥＰ８は停電検知部１２による処理である。停電検知部１２は、停電検知回路３３からの停電検知信号の入力の有無により、商用電源３４が停電中であるか否かを判断する。そして、商用電源３４が停電中であればＳＴＥＰ３０に分岐し、商用電源３４が停電中でなければＳＴＥＰ９に進む。
【００４９】
ＳＴＥＰ９で、コントローラ１０は、浴室リモコン４０及び台所リモコン５０に、「通常表示許可信号」を送信する。この「通常表示許可信号」を受信した浴室リモコン４０のマイクロコンピュータ４４は、表示部４１に、給湯装置本体１の作動状態（バーナ燃焼中、給湯温度等）の表示を含む第１表示を行う。同様に、「通常表示許可信号」を受信した台所リモコン５０のマイクロコンピュータ５４は、表示部５１に第１表示を行う。
【００５０】
続くＳＴＥＰ１０で、コントローラ１０は、浴室リモコン４０の運転スイッチ４２又は台所リモコン５０の運転スイッチ５２がＯＮしているか否かを判断する。そして、運転スイッチ４２又は運転スイッチ５２がＯＮしているときにはＳＴＥＰ１に分岐し、給湯装置を待機モードに設定する。
【００５１】
また、運転スイッチ４２及び運転スイッチ５２がいずれもＯＮしていないときにはＳＴＥＰ１１に進み、コントローラ１０は、浴室リモコン４０の優先スイッチ４５がＯＮしているか否かを判断する。そして、優先スイッチ４５がＯＮしているときは図３のＳＴＥＰ１４に進み、台所リモコン５０を優先モードに設定すると共に、浴室リモコン４０を非優先モードに設定する。
【００５２】
一方、優先スイッチ４２がＯＮしていないときにはＳＴＥＰ７に戻り、この場合は、浴室リモコン４０が優先モードに設定され、台所リモコン５０が非優先モードに設定された状態が維持される。
【００５３】
ＳＴＥＰ３０〜ＳＴＥＰ３１はリモコン表示制限部１４による処理である。リモコン表示制限部１４は、ＳＴＥＰ３０で、台所リモコン５０に「省電力表示信号」を送信する。この「省電力表示信号」を受信した台所リモコン５０のマイクロコンピュータ５４は、表示部５１への表示を、表示項目を高温警告ランプ等に限定して前記第１表示よりも少なくし、表示に伴う消費電力を第１表示よりも減少させて第２表示とする。
【００５４】
また、次のＳＴＥＰ３１で、リモコン表示制限部１４は、浴室リモコン４０に「通常表示許可信号」を送信する。この「通常表示許可信号」を受信した浴室リモコン４０のマイクロコンピュータ４４は、表示部４１に前記第１表示を行う。
【００５５】
ＳＴＥＰ３０〜ＳＴＥＰ３１の処理により、第１表示を行うリモコンを優先モードに設定されている浴室リモコン４０のみに限定し、他のリモコン（本実施形態では台所リモコン５０）については、第１表示よりも消費電力が少ない第２表示を行うことにより、全てのリモコンにおいて第１表示を行うときよりも、コントローラ１０から各リモコンに供給される総電力を減少させることができる。
【００５６】
そのため、電池３５の出力電力を低減させて、商用電源３４の停電中における給湯装置本体１の給湯可能時間を長くすることができる。
【００５７】
続くＳＴＥＰ３２で、コントローラ１０は、浴室リモコン４０及び台所リモコン５０に、「停電表示信号」を送信してＳＴＥＰ１０に進む。この「停電表示信号」を受信した浴室リモコン４０のマイクロコンピュータ４４は、表示部４１に、商用電源３４が停電中であることを報知する表示を行う。同様に、「停電表示信号」を受信した台所リモコン５０のマイクロコンピュータ５４は、表示部５１に、商用電源３４が停電中であることを報知する表示を行う。
【００５８】
そして、これらの表示によって、商用電源３４の停電により、台所リモコン５０の表示部５１への表示が第２表示に制限されていることを使用者に認識させ、給湯装置の故障により表示部５１の表示が通常の第１表示と異なるものになっていると、使用者が誤認することを防止している。
【００５９】
次に、台所リモコン５０の運転スイッチ５２のＯＮにより、ＳＴＥＰ３からＹＥＳ分岐した図３のＳＴＥＰ１２で、コントローラ１０は給湯装置を運転モードに設定し、続くＳＴＥＰ１３で、コントローラ１０は、浴室リモコン４０及び台所リモコン５０に、「運転ランプ点灯信号」を送信する。
【００６０】
この「運転ランプ点灯信号」の受信に応じて、浴室リモコン４０のマイクロコンピュータ４４は、運転スイッチ４２の内蔵ＬＥＤ４２ａを点灯させる。また、台所リモコン５０のマイクロコンピュータ５４は、運転スイッチ５２の内蔵ＬＥＤ５２ａを点灯させる。
【００６１】
次のＳＴＥＰ１４は、リモコン優先設定部１３による処理である。リモコン優先設定部１３は、運転スイッチ５２による運転モードへの切替操作がなされた台所リモコン５０を優先モードに設定し、浴室リモコン４０を非優先モードに設定する。
【００６２】
リモコン優先設定部１３は、台所リモコン４０に対して「優先モード設定信号」を送信し、この「優先モード設定信号」を受信した台所リモコン５０のマイクロコンピュータ５４は、表示部５１に優先モードになっていることを示す優先表示をＯＮして、台所リモコン５０を優先モードで作動させる。
【００６３】
また、リモコン優先設定部１３は、浴室リモコン４０に対して「非優先モード設定信号」を送信し、この「非優先モード設定信号」を受信した浴室リモコン４０のマイクロコンピュータ４４は、優先スイッチ４５の内蔵ＬＥＤ４５ａを消灯して浴室リモコン４０を非優先モードで作動させる。
【００６４】
続くＳＴＥＰ１５は停電検知部１２による処理である。停電検知部１２は、停電検知回路３３からの停電検知信号の入力の有無により、商用電源３４が停電中であるか否かを判断する。そして、商用電源３４が停電中であればＳＴＥＰ４０に分岐し、商用電源３４が停電中でなければＳＴＥＰ１６に進む。
【００６５】
ＳＴＥＰ１６で、コントローラ１０は、浴室リモコン４０及び台所リモコン５０に、「通常表示許可信号」を送信する。この「通常表示許可信号」を受信した浴室リモコン４０のマイクロコンピュータ４４は、表示部４１に第１表示を行う。同様に、「通常表示許可信号」を受信した台所リモコン５０のマイクロコンピュータ５４は、表示部５１に第１表示を行う。
【００６６】
続くＳＴＥＰ１７で、コントローラ１０は、浴室リモコン４０の運転スイッチ４２又は台所リモコン５０の運転スイッチ５２がＯＮしているか否かを判断する。そして、運転スイッチ４２又は運転スイッチ５２がＯＮしているときには図２のＳＴＥＰ１に分岐し、給湯装置を待機モードに設定する。
【００６７】
また、運転スイッチ４２及び運転スイッチ５２がいずれもＯＮしていないときにはＳＴＥＰ１８に進み、コントローラ１０は、浴室リモコン４０の優先スイッチ４５がＯＮしているか否かを判断する。そして、優先スイッチ４５がＯＮしているときは図２のＳＴＥＰ７に進み、浴室リモコン４０を優先モードに設定すると共に、台所リモコン５０を非優先モードに設定する。
【００６８】
一方、優先スイッチ４５がＯＮしていないときにはＳＴＥＰ１４に戻り、この場合は、台所リモコン５０が優先モードに設定され、浴室リモコン４０が非優先モードに設定された状態が維持される。
【００６９】
ＳＴＥＰ４０〜ＳＴＥＰ４１はリモコン表示制限部１４による処理である。リモコン表示制限部１４は、ＳＴＥＰ４０で、浴室リモコン４０に「省電力表示信号」を送信する。この「省電力表示信号」を受信した浴室リモコン４０のマイクロコンピュータ４４は、表示部４１への表示を、上述した第２表示とする。
【００７０】
また、次のＳＴＥＰ４１で、リモコン表示制限部１４は、台所リモコン５０に「通常表示許可信号」を送信する。この「通常表示許可信号」を受信した台所リモコン５０のマイクロコンピュータ５４は、表示部５１に上述した第１表示を行う。
【００７１】
ＳＴＥＰ４０〜ＳＴＥＰ４１の処理により、第１表示を行うリモコンを優先モードに設定されている台所リモコン５０のみに限定し、他のリモコン（本実施形態では浴室リモコン４０）については、第１表示よりも消費電力が少ない第２表示を行うことにより、全てのリモコンにおいて第１表示を行うときよりも、コントローラ１０から各リモコンに供給される総電力を減少させることができる。
【００７２】
そのため、電池３５の出力電力を低減させて、商用電源３４の停電中における給湯装置本体１の給湯可能時間を長くすることができる。
【００７３】
続くＳＴＥＰ４２で、コントローラ１０は、図２のＳＴＥＰ３２と同様に、浴室リモコン４０及び台所リモコン５０に、「停電表示信号」を送信してＳＴＥＰ１７に進む。
【００７４】
なお、商用電源３４が停電中であるときに、浴室リモコン４０のスピーカ４３及び台所リモコン５０のスピーカ５３の出力の上限を、商用電源３４の停電が生じていないときよりも低くするようにして、浴室リモコン４０及び台所リモコン５０の消費電力をさらに低減させてもよい。
【００７５】
次に、図４は、停電バックアップ用に無停電電源７０を採用した他の構成例であり、商用電源３４が停電したときに、無停電電源７０に内蔵された電池の出力電力により交流電力を生成して、停電時にも交流電力Ｐacを給湯装置本体１ａに供給する。なお、上述した図１の給湯装置とは、停電検知部１２ａと電源回路８０の構成が相違しており、同一の構成については同一の符号を付して説明を省略する。
【００７６】
給湯装置本体１ａは、無停電電源７０から供給される交流電力Ｐacを整流して直流電力Ｐdcを出力する電源回路８０を備え、コントローラ１０ａは、電源回路８０から供給される直流電力Ｐdcにより作動する。
【００７７】
無停電電源７０に備えられた停電検知回路７１は、停電検知用端末９０と接続され、停電検知用端末９０に停電検知信号Ｐfsを出力する。停電検知用端末９０は、コントローラ１０ａと通信ケーブル２３により接続され、停電検知信号Ｐfsをコントローラ１０ａに中継する。通信ケーブル２３による通信仕様は、通信ケーブル２０，２１による浴室リモコン４０及び台所リモコン５０との通信仕様と同一である。
【００７８】
そして、コントローラ１０ａの停電検知部１２ａは、無停電電源７０の停電検知回路７１から出力された停電検知信号Ｐfsの受信の有無により、商用電源３４の停電を検知する。図４の構成によれば、商用電源３４の停電を検知するための構成を、無停電電源７０に備えられた停電検知回路７１を流用し、また、通信ケーブル２３及び停電検知用端末９０によるインターフェースを用いて、容易に構成することができる。
【００７９】
次に、図５は、図４の構成に対して、台所リモコン５０ａに無停電電源７０の停電検知回路７１との接続インターフェース（接続コネクタ＋インターフェース回路）５５を備えた構成である。この構成による場合は、図４の停電検知用端末９０と通信ケーブル２３を不要とすることができる。
【００８０】
なお、図５では、無停電電源７０の停電検知回路７１との接続インターフェース５５を備えた台所リモコン５０ａを示したが、浴室リモコン４０又は増設リモコン６０（図１参照）に、接続インターフェース５５を備える構成としてもよい。
【００８１】
なお、本実施形態においては、図２のＳＴＥＰ３２の処理、及び図３のＳＴＥＰ４２の処理により、商用電源３４が停電中であるときに、浴室リモコン４０の表示部４１及び台所リモコン５０の表示部５１に停電中であることを報知する表示を行ったが、この表示を行わない場合にも本発明の効果を得ることができる。
【符号の説明】
【００８２】
１…給湯装置本体、１０…コントローラ、１１…給湯制御部、１２…停電検知部、１３…リモコン優先設定部、１４…リモコン表示制限部、３０…電源回路、３１…整流回路、３２…選択回路、３３…停電検知回路、３４…商用電源、３５…電池、２０〜２２…通信ケーブル、４０…浴室リモコン、４１…表示部、４２…運転スイッチ、４３…スピーカ、４４…マイクロコンピュータ、４５…優先スイッチ、５０…台所リモコン、５１…表示部、５２…運転スイッチ、５３…スピーカ、５４…マイクロコンピュータ。
【図１】
0005713835.tif 000002
【図２】
0005713835.tif 000003
【図３】
0005713835.tif 000004
【図４】
0005713835.tif 000005
【図５】
0005713835.tif 000006